(57)【要約】【課題】雑誌の一部の情報を利用し、ユーザへ情報提供手段として蓄積型データ放送サービスを利用することにより、コストの削減、当該情報に対する利用者の不正手段の回避、正確な情報の提供、及び環境問題を考慮した情報提供システムを提供する。【解決手段】情報提供システムは、ユーザ環境１においてコンテンツ及び当該コンテンツに対応するコンテンツコードを受信し、ハードディスク６に記憶する。ユーザは、所定のコンテンツコードが記録されているペーパー状表示媒体１９を、例えば雑誌２０などの印刷物から入手し、表示制御装置４へセットする。すると、情報提供システムは、コード読取手段によりペーパー状表示媒体１９上のコンテンツコードを読み取り、そのコンテンツコードに対応するコンテンツをハードディスク６から取得し、ペーパー状表示媒体に表示する。これにより、ユーザは、ペーパー状表示媒体１９に予め記録されているコンテンツコードに対応するコンテンツを、ペーパー状表示媒体１９上に表示させて見ることができる。【選択図】　　　図１
2004064744.tif 000002
【特許請求の範囲】
【請求項１】
コンテンツを表示する表示装置と、
コンテンツ及び当該コンテンツに対応するコンテンツコードを受信する手段と、
前記コンテンツ及び前記コンテンツコードを記憶する記憶手段と、
コンテンツコードが記録されているペーパー状表示媒体からコンテンツコードを読み取るコード読取手段と、
前記コード読取手段が読み取ったコンテンツコードに対応するコンテンツを前記記憶手段から取得し、前記表示装置に表示する制御手段と、を備えることを特徴とする情報提供システム。
【請求項２】
前記制御手段は、前記コード読取手段が読み取ったコンテンツコードに対応するコンテンツを前記記憶手段から取得し、前記ペーパー状表示媒体に表示することを特徴とする請求項１に記載の情報提供システム。
【請求項３】
前記コンテンツは、静止画を対象とした静止画コンテンツ及び／又は動画を対象とした動画コンテンツを含み、
前記制御手段は、前記静止画コンテンツを前記ペーパー状表示媒体及び／又は前記表示装置に表示し、前記動画コンテンツを前記表示装置に表示することを特徴とする請求項１又は２に記載の情報提供システム。
【請求項４】
前記制御手段は、
前記コード読取手段が読み取ったコンテンツコードに対応する複数のコンテンツに関連する情報のリストを利用者に提示するリスト提示手段と、
前記リストを参照して利用者が選択したコンテンツを前記ペーパー状表示媒体及び／又は前記ディスプレイ上に表示する手段と、を備えることを特徴とする請求項１乃至３のいずれか一項に記載の情報提供システム。
【請求項５】
前記ペーパー状表示媒体は、前記コンテンツを表示するためのコンテンツ表示部と、
前記コンテンツコードを変更不能な状態で記録する不変コード記録部と、を備えることを特徴とする請求項１乃至４のいずれか一項に記載の情報提供システム。
【請求項６】
前記ペーパー状表示媒体は、前記コンテンツに付与されたコンテンツコードを変更不能な状態で記録した不変コード記録部と前記コンテンツを表示するためのコンテンツ表示部を備え、
前記コンテンツに関連のある印刷物と一体に構成されていることを特徴とする請求項１乃至５のいずれか一項に記載の情報提供システム。
【請求項７】
前記ペーパー状表示媒体は、前記印刷物と同様のレイアウトであることを特徴とする請求項６に記載の情報提供システム。
【請求項８】
コンテンツ及び当該コンテンツに対応するコンテンツコードを受信する手段と、
前記コンテンツ及び前記コンテンツコードを記憶する記憶手段と、
コンテンツコードが記録されている物品からコンテンツコードを読み取るコード読取手段と、
前記コード読取手段が読み取ったコンテンツコードに対応するコンテンツを前記記憶手段から取得し、ペーパー状表示媒体上に表示する制御手段と、を備えることを特徴とする情報提供システム。
【請求項９】
コンテンツを表示する表示装置と、
コンテンツ及び当該コンテンツに対応するコンテンツコードを受信する手段と、
前記コンテンツ及び前記コンテンツコードを記憶する記憶手段と、
コンテンツコードが記録されている物品からコンテンツコードを読み取るコード読取手段と、
前記コード読取手段が読み取ったコンテンツコードに対応するコンテンツを前記記憶手段から取得し、前記表示装置に表示する制御手段と、を備えることを特徴とする情報提供システム。
【請求項１０】
前記制御手段は、前記コード読取手段が読み取ったコンテンツコードに対応するコンテンツを前記記憶手段から取得し、ペーパー状表示媒体に表示することを特徴とする請求項９に記載の情報提供システム。
【請求項１１】
コンテンツ及び当該コンテンツに対応するコンテンツコードを受信するステップと、
前記コンテンツ及び前記コンテンツコードを記憶するステップと、
コンテンツコードが記録されているペーパー状表示媒体からコンテンツコードを読み取るステップと、
前記ペーパー状表示媒体から読み取った前記コンテンツコードに対応するコンテンツを取得し、表示装置に表示するために制御をするステップと、を備えることを特徴とする情報提供方法。
【請求項１２】
前記ペーパー状表示媒体から読み取った前記コンテンツコードに対応するコンテンツを取得し、前記ペーパー状表示媒体に表示することを特徴とする請求項１１に記載の情報提供方法。
【請求項１３】
前記コンテンツに対応するコンテンツコードを付与するステップと、
前記ペーパー状表示媒体に前記コンテンツコードを付与するステップと、をさらに備えることを特徴とする請求項１１又は１２に記載の情報提供方法。
【請求項１４】
コンテンツに付与されたコンテンツコードを変更不能な状態で記録した不変コード記録部と前記コンテンツを表示するためのコンテンツ表示部を備え、前記コンテンツに関連のある印刷物と一体に構成されているペーパー状表示媒体。
【発明の詳細な説明】
【０００１】
【発明の属する技術分野】
本発明は、デジタル放送における蓄積型データ放送サービスを利用して情報を提供する方法に関する。
【０００２】
【従来の技術】
現在、日本では、データ放送サービスを行うデジタル放送としてＢＳデジタル放送が、２０００年よりサービスを開始している。また、蓄積型データ放送サービスを行うＣＳデジタル放送が、２００２年よりサービスを開始している。
【０００３】
蓄積型データ放送サービスとは、利用者の家庭に設置される受信機が放送番組をデジタルデータとして蓄積できるようになっており、利用者は放送番組のタイムテーブルを気にすることなく、都合のよい時間帯に必要な番組を選択して再生、視聴することができるサービスである。
【０００４】
デジタル放送における放送番組のデジタルデータの記述言語としては、ＢＳデジタル放送、東経１１０度ＣＳデジタル放送、地上波デジタル放送のいずれもが、ＸＭＬ（ｅＸｔｅｎｓｉｂｌｅ　Ｍａｒｋｕｐ　Ｌａｎｇｕａｇｅ）をベースとしたＢＭＬ（Ｂｒｏａｄｃａｓｔ　Ｍａｒｋｕｐ　Ｌａｎｇｕａｇｅ）を用いることを予定している。ＢＭＬとは、ＸＭＬをベースとしてデータ放送用途に専用化した記述言語である。データ放送サービスを行うデジタル放送に対応した受信機は、ＢＭＬで記述された放送番組のデジタルデータを解読し、テレビ画面にデータ放送番組を表示する。
【０００５】
このように記述言語としてＢＭＬを利用することにより、データ放送サービスは、ユーザに、データ放送コンテンツとして様々な情報を提供することができる。そのため、番組放送以外におけるデータ放送サービスの有効な利用方法が模索されている。
【０００６】
データ放送サービスの利用方法としては、生活に密着した身近な情報源である雑誌の情報をユーザに提供することが挙げられる。即ち、蓄積型データ放送サービスを利用して雑誌の情報の一部をデータ放送コンテンツとして受信機に蓄積し、所定の要件を満たしたユーザに対して当該情報を提供するのである。
【０００７】
従来から、各種雑誌は、情報の付加価値を高める手段として袋とじ等による情報の折込み手法を頻繁に実施している。これによれば、袋とじとなっている情報は立ち読みなどにより読むことができないため、当該情報への期待感を煽り、利用者の当該雑誌に対する購買意欲を高めることができる。
【０００８】
【発明が解決しようとする課題】
しかし、袋とじ等による情報の折込み手法は、雑誌の印刷、製本コストが高くなるという問題がある。また、当該情報の価値は、店頭において袋とじを破ったり、盗み見たりといったユーザの不正手段により下がってしまう。さらに、多くの雑誌の情報は通常、鮮度の高いものであり、時間の経過と共に価値を失うものである。そのため、当該雑誌の全ての情報を普通紙に印刷することは、資源の有効活用という観点からも非効率的である。
【０００９】
また、広告をはじめとする雑誌の情報は、紙媒体を通じてユーザに提供されるため、静止画であり、テレビなどの情報に比べてリアリティのある正確な情報をユーザに提供することが困難となっている。
【００１０】
本発明は以上の点に鑑みてなされたものであり、雑誌の一部によるユーザへの情報提供手法として蓄積型データ放送サービスを利用することにより、コストの削減、当該情報に対する利用者の不正手段の回避、正確な情報の提供、及び環境問題を考慮した情報提供システムを提供することを課題とする。
【００１１】
【課題を解決するための手段】
本発明の１つの観点では、情報提供システムは、コンテンツを表示する表示装置と、コンテンツ及び当該コンテンツに対応するコンテンツコードを受信する手段と、前記コンテンツ及び前記コンテンツコードを記憶する記憶手段と、コンテンツコードが記録されているペーパー状表示媒体からコンテンツコードを読み取るコード読取手段と、前記コード読取手段が読み取ったコンテンツコードに対応するコンテンツを前記記憶手段から取得し、前記表示装置に表示する制御手段と、を備える。
【００１２】
上記の情報提供システムは、ユーザの家庭などに設置され、コンテンツ及び当該コンテンツに対応するコンテンツコードを受信し、記憶する。また、記憶手段は、コンテンツをデータとして記憶するハードディスクなどの記憶媒体とすることができる。ユーザは、所定のコンテンツコードが記録されているペーパー状表示媒体を、例えば雑誌などの印刷物から入手する。そして、コード読取手段がペーパー状表示媒体上のコンテンツコードを読み取り、そのコンテンツコードに対応するコンテンツを記憶手段から取得し、表示装置に表示する。これにより、ユーザは、ペーパー状表示媒体に予め記録されているコンテンツコードに対応するコンテンツを、表示装置に表示させて見ることができる。
【００１３】
上記の情報提供システムの一態様では、前記制御手段は、前記コード読取手段が読み取ったコンテンツコードに対応するコンテンツを前記記憶手段から取得し、前記ペーパー状表示媒体に表示する。これにより、ユーザは、ペーパー状表示媒体に予め記録されているコンテンツコードに対応するコンテンツを、ペーパー状表示媒体上に表示させて見ることができる。
【００１４】
上記の情報提供システムの他の一態様では、前記コンテンツは、静止画を対象とした静止画コンテンツ及び／又は動画を対象とした動画コンテンツを含み、前記制御手段は、前記静止画コンテンツを前記ペーパー状表示媒体及び／又は前記表示装置に表示し、前記動画コンテンツを前記表示装置に表示する。
【００１５】
上記の情報提供システムでは、前記コンテンツは、静止画を対象とした静止画コンテンツ及び／又は動画を対象とした動画コンテンツとすることができる。その場合、前記制御手段は、前記静止画コンテンツを前記ペーパー状表示媒体及び／又は前記表示装置に表示し、前記動画コンテンツを前記表示装置に表示することができる。静止画コンテンツをペーパー状表示媒体に表示すれば、ユーザは当該コンテンツを持ち運びなどに適した状態で見ることができる。また、動画コンテンツを表示装置上に表示することにより、ユーザは静止画コンテンツよりも多くの情報を見ることができる。
【００１６】
上記の情報提供システムの一態様では、前記制御手段は、前記コード読取手段が読み取ったコンテンツコードに対応する複数のコンテンツに関連する情報のリストを利用者に提示するリスト提示手段と、前記リストを参照して利用者が選択したコンテンツを前記ペーパー状表示媒体及び／又は前記ディスプレイ上に表示する手段と、を備える。これにより、ユーザはリスト中から任意に選択したコンテンツを、ペーパー状表示媒体及び／又は前記ディスプレイ上に表示して見ることができる。
【００１７】
好適な例では、前記ペーパー状表示媒体は、前記コンテンツを表示するためのコンテンツ表示部と、前記コンテンツコードを変更不能な状態で記録する不変コード記録部と、を備えることができる。これにより、コンテンツコードを改変などから保護し、ペーパー状表示媒体の提供者が意図したコンテンツをユーザに見せることができる。
【００１８】
また、上記のペーパー状表示媒体は、前記コンテンツに付与されたコンテンツコードを変更不能な状態で記録した不変コード記録部と前記コンテンツを表示するためのコンテンツ表示部を備え、前記コンテンツに関連のある印刷物と一体に構成することができる。これによれば、雑誌などの印刷物にペーパー状表示媒体を綴じ込んだり、貼付したりという各種の手法で一体とすれば、ユーザは印刷物を入手することによりペーパー状表示媒体を入手することができる。ペーパー状表示媒体上のコンテンツと印刷物とは関連を有するので、ユーザは入手した印刷物に関連を有するコンテンツを入手することができる。また、上記ペーパー状表示媒体は、前記印刷物と同様のレイアウトとすることにより、自然な形で印刷物と一体化することができる。
【００１９】
本発明の他の観点では、コンテンツ及び当該コンテンツに対応するコンテンツコードを受信する手段と、前記コンテンツ及び前記コンテンツコードを記憶する記憶手段と、コンテンツコードが記録されている物品からコンテンツコードを読み取るコード読取手段と、前記コード読取手段が読み取ったコンテンツコードに対応するコンテンツを前記記憶手段から取得し、ペーパー状表示媒体上に表示する制御手段と、を備える。ここで、物品とは、例えばユーザが取得、購入可能な商品やその梱包物などが挙げられる。これによれば、物品に予め記録されているコンテンツコードに対応するコンテンツをペーパー状表示媒体に記録することができる。繰り返し表示可能なペーパー状表示媒体を利用することにより、紙を節約すると共に、コストを削減することもできる。
【００２０】
本発明の他の観点では、コンテンツを表示する表示装置と、コンテンツ及び当該コンテンツに対応するコンテンツコードを受信する手段と、前記コンテンツ及び前記コンテンツコードを記憶する記憶手段と、コンテンツコードが記録されている物品からコンテンツコードを読み取るコード読取手段と、前記コード読取手段が読み取ったコンテンツコードに対応するコンテンツを前記記憶手段から取得し、前記表示装置に表示する制御手段と、を備える。これによれば、物品に予め記録されているコンテンツコードに対応するコンテンツを表示装置上に表示させて、ユーザが閲覧することが可能である。
【００２１】
上記の情報提供システムの一態様では、前記制御手段は、前記コード読取手段が読み取ったコンテンツコードに対応するコンテンツを前記記憶手段から取得し、ペーパー状表示媒体に表示する。これによれば、コンテンツを表示装置のみならず、ペーパー状表示媒体に表示させてユーザが閲覧することも可能である。
【００２２】
本発明のさらに他の観点では、コンテンツ及び当該コンテンツに対応するコンテンツコードを受信するステップと、前記コンテンツ及び前記コンテンツコードを記憶するステップと、コンテンツコードが記録されているペーパー状表示媒体からコンテンツコードを読み取るステップと、前記ペーパー状表示媒体から読み取った前記コンテンツコードに対応するコンテンツを取得し、表示装置に表示するために制御をするステップと、を備える。この方法によれば、前述の情報提供システムと同様に、ユーザは、ペーパー状表示媒体に予め記録されているコンテンツコードに対応するコンテンツを表示装置上に表示することができる。
【００２３】
上記の情報提供方法の一態様では、前記ペーパー状表示媒体から読み取った前記コンテンツコードに対応するコンテンツを取得し、前記ペーパー状表示媒体に表示する。また、前記コンテンツに対応するコンテンツコードを付与するステップと、前記ペーパー状表示媒体に前記コンテンツコードを付与するステップと、をさらに備える。この方法によれば、前述の情報提供システムと同様に、ユーザはペーパー状表示媒体に予め記録されているコンテンツコードに対応するコンテンツを表示装置のみならず当該ペーパー状表示媒体上にも表示することができる。
【００２４】
【発明の実施の形態】
以下、図面を参照して本発明の好適な実施の形態について説明する。
【００２５】
［第１実施形態］
（ｉ）情報提供システムの概略構成
図１に本発明の第１実施形態にかかる情報提供システムの概略構成を示す。図１において、情報提供システムは、ユーザ環境１、コンテンツ提供会社１３、コード管理センター１４、放送局１６、人工衛星１７、地上波デジタル放送基地２３、印刷会社１８、販売店２１及び広告主２２により構成されている。
【００２６】
コンテンツ提供会社１３は、出版社であり、広告主２２から広告出稿料を徴収して広告や記事をはじめとする雑誌の本文を作成し、印刷会社１８に納品している。また、コンテンツ提供会社１３は、雑誌の一部の情報（以下、「コンテンツ用情報」と呼ぶ。）を、蓄積型データ放送サービスを利用してユーザに提供するために、当該コンテンツ用情報に対応するデータ放送コンテンツ（以下、「コンテンツ」と呼ぶ。）を作成し、放送局１６に納品している。ここで、コンテンツ用情報とは、従来は、折込手法により袋とじになっており、ユーザが立ち読み等により見ることができない付加価値ある情報である。具体的には、特集記事、広告、連載漫画の最終ページ、次号の予告、新製品発表予告、又は、イベント開催予告など商品、サービスの購買を促し、利益につながる情報である。
【００２７】
コード管理センター１４は、コンテンツ提供会社１３から雑誌の情報であるコンテンツに含まれる属性データを受け取り、当該属性データに基づいて、コンテンツの識別情報となるコンテンツコードを作成する。コンテンツコードは、コンテンツ提供会社１３を介して放送局１６へ納品される。また、コンテンツコードは、印刷会社１８へも通知される。なお、コード管理センター１４は、コンテンツ提供会社１３から受け取った属性データ及び自身が作成したコンテンツコードをペアで管理データベース（以下「ＤＢ」と呼ぶ。）１５に記憶する。
【００２８】
印刷会社１８は、ペーパー状表示媒体にコード管理センター１４から通知されたコンテンツコードを記録し、コード記録済ペーパー状表示媒体１９を作成する。また、印刷会社１８は、コンテンツ提供会社１３から納品された雑誌の本文を印刷し、印刷した雑誌の本文及び当該コード記録済ペーパー状表示媒体１９を一体化して、雑誌２０を製本する。さらに、印刷会社１８は、製本した雑誌２０を流通機構へのせるため、販売店２１へ納品する。ここで、一体化とは、例えば、雑誌２０にコード記録済ペーパー状表示媒体１９が切り取り可能形式で挿入されていることなどが挙げられる。
【００２９】
販売店２１は、例えば、書店やコンビニであり、雑誌２０を店頭に置き、ユーザに販売する。
【００３０】
広告主２２は、例えば、化粧品、車やパソコンのメーカーなどであり、雑誌２０に当該メーカーで販売している製品の広告や記事を載せることで当該製品の販売促進を図り、その対価としてコンテンツ提供会社１３に出稿料を払う。コンテンツ提供会社１３は、当該出稿料などにより、コード印刷済ペーパー状表示媒体１９を単体としてではなく、雑誌２０と一体化させてユーザに販売することができる。
【００３１】
一方、放送局１６は、コンテンツ提供会社１３に納品された属性データ、コンテンツデータ及びコンテンツコードから構成されるコンテンツを、蓄積型データ放送サービスを利用し、人工衛星１７や地上波デジタル放送基地２３を介してユーザ環境１に提供する。
【００３２】
ユーザ環境１において、ユーザは受信装置２により、放送局１６から人工衛星１７や地上波デジタル放送基地２３を介して提供された蓄積型データ放送サービスを行うデジタル放送を受信し、データ放送番組やコンテンツをディスプレイ５上で視聴、閲覧することができる。受信装置２は、受信した放送番組やコンテンツを記録し、蓄積している。
【００３３】
また、ユーザは、印刷会社１８が製造し、販売店２１で販売している雑誌２０を購入する。そして、ユーザは、ユーザ環境１において表示制御装置４により、雑誌２０と一体化しているコード記録済ペーパー状表示媒体１９に基づいて、当該コード記録済ペーパー状表示媒体１９に記録されているコンテンツコードに対応するコンテンツをコード記録済ペーパー状表示媒体１９、若しくは、ディスプレイ５において表示することができる。
【００３４】
ユーザ環境１は、受信装置２、リモコン３、表示制御装置４及びディスプレイ５から構成されている。ユーザ環境とは、本発明において情報提供を受けるユーザの保有する、蓄積型データ放送サービス関連の装置の構成である。即ち、ユーザ環境は、蓄積型データ放送サービスを行うデジタル放送を受信することができる各家庭や車の中の環境である。
【００３５】
受信装置２は、アンテナ１０を有し、ハードディスク６、チューナー７、コントローラ８及びコンテンツリスト９を内蔵しており、リモコン３が付属されている。アンテナ１０は、デジタル放送を受信するために必要なアンテナである。また、ユーザはリモコン３又はディスプレイ５上の画面タッチパネル等によって、任意に受信装置２を操作することができる。詳細は後述するが、具体的にユーザは、リモコン３又はディスプレイ５上の画面タッチパネル等によりコンテンツの選択等を行う。
【００３６】
ハードディスク６は、ユーザエリア及びサービスエリアから構成される。ユーザエリアは、デジタル放送の視聴者であるユーザが任意に放送番組の録画等を行うことができるエリアである。一方、サービスエリアは、蓄積型データ放送番組やコンテンツをユーザの意図とは無関係に蓄積することができるエリアである。
【００３７】
コンテンツとは、新聞や雑誌の記事、地方自治体の広報誌の記事、イラスト、地図、楽譜や写真などの画像データ、音声ファイル、ムービーなどを電子データ化した流通価値のあるものをいう。ここでコンテンツは、データ放送番組を構成する１つのパーツであり、コード記録済ペーパー状表示媒体１９、若しくは、ディスプレイ５上で閲覧することができる。本実施形態におけるコンテンツは、詳細は後述するが、雑誌２０に関連したコンテンツであり、ハードディスク６のサービスエリア内に蓄積される。
【００３８】
チューナー７は、蓄積型データ放送サービスを行うデジタル放送の電波を受信し、データ放送番組やコンテンツとしてディスプレイ５に接続するための映像と音声を出力する。
【００３９】
コントローラ８は、マイクロプロセッサを主体としたＣＰＵで構成されており、受信装置２の全体を制御する。
【００４０】
コンテンツリスト９は、図３に示すように、コンテンツコード、コンテンツ名及びバックナンバーから構成されており、ハードディスク６のサービスエリア内に蓄積されたコンテンツに関する情報をリスト化して記憶している。
【００４１】
表示制御装置４は、識別コントローラ１１及びコードリーダ１２を内蔵している。識別コントローラ１１は、マイクロプロセッサを主体としたＣＰＵで構成されており、表示制御装置４の動作を制御する。コードリーダ１２は、コード記録済ペーパー状表示媒体１９に記録された識別情報であるコンテンツコードを読み取る。即ち、表示制御装置４は、まずコードリーダ１２によってコード記録済ペーパー状表示媒体１９に記録された識別情報を読み取り、当該識別情報に基づいて、識別コントローラ１１が表示制御装置４を制御する。表示制御装置４は、識別コントローラ１１の制御により、コンテンツリスト９を参照した後、ハードディスク６からコード記録済ペーパー状表示媒体１９に記録されたコンテンツコードに対応するコンテンツを抽出する。そして、表示制御装置４は、コード記録済ペーパー状表示媒体１９に記録されたコンテンツコードに対応するコンテンツをコード記録済ペーパー状表示媒体１９、若しくは、ディスプレイ５に表示する。
【００４２】
ディスプレイ５は、チューナー７を介して、データ放送番組やコンテンツの映像、画像又は音声を出力する。ディスプレイ５は、典型的には各家庭におけるテレビモニタである。
【００４３】
（ｉｉ）コンテンツ
図２（ａ）にコンテンツフォルダの記録場所を示す。コンテンツとは、蓄積型データ放送サービスを利用してユーザに提供される情報であり、コンテンツとして提供される情報は、コンテンツコード、属性データ及びコンテンツデータを含む。なお、本実施形態では、コンテンツは、ペーパー状表示媒体、若しくは、ディスプレイ５への表示が可能なデジタルデータとして編集済のものとしてユーザに提供されるものとする。また、コンテンツに含まれるコンテンツデータは、静止画コンテンツデータと動画コンテンツデータの２種類を有しており、静止画コンテンツデータは、静止画であり、コード記録済ペーパー状表示媒体１９、若しくは、ディスプレイ５へ表示可能である。一方、動画コンテンツデータはディスプレイ５へ表示し、ユーザが閲覧することが可能であるが、動画であるため、コード記録済ペーパー状表示媒体１９で表示することはできない。
【００４４】
コンテンツフォルダとは、ユーザ環境１における受信装置２が放送局１６からコンテンツを受信した後、ハードディスク６内においてコンテンツの情報を記録するフォルダである。
【００４５】
蓄積型データ放送サービスは、データ放送番組やコンテンツを受信装置２に内蔵されたハードディスク６のサービスエリア内へ蓄積する。ハードディスク６のサービスエリア内は、図２（ａ）に示すように、階層構造となっており、ルートディレクトリ配下にユーザの意図に関係なく蓄積されるデータ放送番組（以下、「蓄積番組」と呼ぶ。）が複数記録されている。また、複数の蓄積番組と同じ階層に、例えば、雑誌に関連するコンテンツなど、蓄積番組とは異なる付属的なデータを記録するサービスディレクトリがある。なお、ユーザが任意でコンテンツや番組を記録したい場合は、ハードディスク６のユーザエリア内に記録する。
【００４６】
サービスディレクトリは、さらに階層構造となっており、サービスディレクトリ配下にコンテンツフォルダＡをはじめとする複数のコンテンツフォルダが記録されている。そして、コンテンツフォルダは、さらに階層構造となっており、それぞれ記録されるコンテンツに対応して、コンテンツフォルダ配下に複数のコンテンツデータが記録されている。
【００４７】
図２（ｂ）にコンテンツフォルダＡに記録されているコンテンツの情報を示す。なお、コンテンツフォルダＡに記録されているコンテンツの情報は、本実施形態では雑誌２０に関連するコンテンツであるとする。
【００４８】
コンテンツは、属性データ、複数のコンテンツデータ及びコンテンツコードから構成されており、属性データ及びコンテンツデータはコンテンツ提供会社１３が作成し、コンテンツコードはコード管理センター１４が作成する。属性データは、コンテンツ名、コンテンツ種類などから構成されている。コンテンツ名は、コンテンツの一般名称であり、本実施形態では、当該コンテンツが雑誌２０に関連するものであるため「雑誌Ａ＿５月号」とする。
【００４９】
コンテンツ種類は、当該コンテンツに含まれるコンテンツデータが静止画コンテンツデータであるか、動画コンテンツデータであるかに基づいて細分化した情報である。例えば、静止画コンテンツデータは、「雑誌Ａ＿５月号」の特集である「バーゲン情報」とすることができる。また、動画コンテンツデータは、「雑誌Ａ＿５月号」に広告として掲載されている車の「車内映像」とすることができる。
【００５０】
これによれば、ユーザは、詳細は後述するが、コンテンツリスト９において所定のコンテンツデータがペーパー状表示媒体に表示可能な静止画コンテンツデータであるか、あるいは、ディスプレイ５上で動画として閲覧可能な動画コンテンツデータであるかを簡単に把握し、選択することができる。
【００５１】
コンテンツコードは、コンテンツ提供会社１３が通知した属性データに基づいてコード管理センター１４が作成するコンテンツの識別情報である。本実施形態におけるコンテンツフォルダＡに記録されているコンテンツコードは「１００５Ａ」とする。
【００５２】
コンテンツデータは、コンテンツ提供会社１３が、雑誌２０に関連するコンテンツ用情報に基づいて作成し、静止画コンテンツデータと動画コンテンツデータの２種類を有する。コンテンツ提供会社１３は、コンテンツデータを作成すると、放送局１６を介して、図２（ａ）に示すように、コンテンツフォルダＡ内に当該コンテンツデータを記録する。
【００５３】
コンテンツデータは、属性データに基づいて、コンテンツフォルダＡ配下において細分化されて記録されている。具体的には、コンテンツフォルダＡ配下は、静止画コンテンツフォルダ、及び、動画コンテンツフォルダに細分化されており、コンテンツデータはそれぞれの種類に対応したコンテンツフォルダに記録されている。これによれば、ユーザがコンテンツリスト９において、ペーパー状表示媒体、若しくは、ディスプレイ５上で表示するコンテンツデータを選択する際、表示制御装置４は、迅速に当該選択したコンテンツデータを取得し、表示することができる。
【００５４】
なお、放送局１６は、コンテンツ提供会社１３の要望により、蓄積型データ放送サービスを利用してコンテンツをユーザへ提供する際、同時に、コンテンツの情報を記録するコンテンツフォルダの記録場所の情報をデータとして添付することができる。これによれば、所定のコンテンツの情報が、コンテンツ提供会社１３の望む記録場所に自動的に記録される。また、コンテンツの情報及び記録場所の情報は、ユーザによる改竄防止のため記号化されており、ユーザには解読不能となっている。また、受信装置２におけるハードディスク６内のサービスディレクトリ配下には、複数のコンテンツ提供会社１３から放送局１６を介して複数のコンテンツが記録されているため、ユーザが雑誌２０を購入するか否かに関わらず、当該雑誌の情報に対応するコンテンツも記録されている。
【００５５】
（ｉｉｉ）コンテンツリスト
コンテンツリスト９は、図３に示すように、コンテンツコード、コンテンツ名、バックナンバー及び備考から構成されており、ハードディスク６内のサービスディレクトリ配下に記録され、蓄積されたコンテンツをリスト化して記憶している。
【００５６】
コンテンツコードは、コンテンツの識別情報である。蓄積型データ放送サービスを利用してコンテンツがハードディスク６のサービスディレクトリ配下のコンテンツフォルダに蓄積されると、図２（ｂ）に示すようにコンテンツリスト９において、コンテンツの情報としてコンテンツコードが記録される。コンテンツコードは属性情報に基づいてコード管理センター１４が作成するものであり、コンテンツはコンテンツコードにより一意に定められている。
【００５７】
そのため、コンテンツリスト９には、コンテンツコードをキーとし、ハードディスク６のサービスディレクトリ配下のコンテンツフォルダに蓄積されたコンテンツの情報に基づいて、コンテンツ名、バックナンバー及び備考が記憶される。バックナンバーとは、所定のコンテンツコードに対応する複数のコンテンツデータの全てである。本実施形態におけるバックナンバーは、図３に示すように、例えば、雑誌２０に連載されている漫画αの予告など、雑誌２０に関連したコンテンツデータである。また、備考とは、所定のコンテンツコードに対応する属性データに基づいて情報をさらに細分化したものであり、例えば、コンテンツ種類などである。
【００５８】
なお、コンテンツリスト９は、蓄積型データ放送サービスを利用して、コンテンツである属性データ、コンテンツデータ、又は、コンテンツコードが提供される度に更新される。
【００５９】
これによれば、ハードディスク６におけるサービスエリア内のサービスディレクトリには複数のコンテンツが記録され、さらに１つのコンテンツに複数のコンテンツデータが存在するにも関わらず、コンテンツリスト９を確認することにより、コンテンツデータをはじめとした現在記録されているコンテンツの情報を簡便に把握することができる。
【００６０】
（ｉｖ）ペーパー状表示媒体
図４（ａ）にコード記録済ペーパー状表示媒体１９の構成を示す。コード記録済ペーパー状表示媒体１９とは、後述する不変コード３１及び可変コード３２が記録されたペーパー状表示媒体をいい、雑誌２０と一体化して販売店２１において販売されることで、ユーザに提供される。なお、ペーパー状表示媒体とは、紙のように薄く、ある程度の柔軟性を持ち、何度でも書き換え可能な表示媒体であり、一般に電子ペーパー若しくはデジタルペーパーなどと呼ばれるものを含む。
【００６１】
書き換え可能とは、ロイコ系可逆性感熱記録方式であれば、ペーパー状表示媒体に熱処理等を加えることで、一度表示した内容を消去した上で、新しい情報を表示することを意味する。具体的には、静止画コンテンツデータ＿０１に基づいて雑誌Ａの今月の特集である「バーゲン情報」を表示した後、同じ表示媒体に、静止画コンテンツデータ＿０２に基づいて雑誌Ａに連載されている「漫画αの予告」を表示することができる。この場合、「バーゲン情報」は当該表示媒体上には一切残らない。ペーパー状表示媒体は、例えばロイコ系可逆性感熱記録方式のものであれば、５００回程度は書き換え可能であるため、無料コンテンツの表示などによる再利用が可能である。なお、ペーパー状表示媒体としては、ロイコ系可逆性感熱記録方式による表示媒体、高分子分散型液晶、カイラルネマティック液晶、コレステリック液晶による表示体、又は、電気泳動方式による表示媒体など種々の表示媒体を利用することができる。
【００６２】
図４（ａ）に示すように、コード記録済ペーパー状表示媒体１９は、不変コード３１、可変コード３２、使用回数３４及びコンテンツ表示エリア３５から構成されている。
【００６３】
不変コード３１とは、ペーパー状表示媒体において何度書き換えを行っても、一切変化することのない不変な情報である。図４（ｂ）に不変コード３１が有する情報を示す。不変コード３１は、コンテンツコード、ペーパー状表示媒体のデータなどにより構成されており、印刷会社１８において、ペーパー状表示媒体に記録される。
【００６４】
コンテンツコードは、コンテンツ提供会社１３が通知した属性データに基づいて、コード管理センター１４が作成するコンテンツの識別情報である。印刷会社１８は、詳細は後述するが、コード管理センター１４よりコンテンツデータの通知を受ける。本実施形態におけるコンテンツコードは「１００５Ａ」とする。なお、ペーパー状表示媒体は、無料コンテンツ以外では、記録された不変コード３１に含まれるコンテンツコードに対応するコンテンツのみを表示することができる。
【００６５】
ペーパー状表示媒体のデータは、当該コンテンツをペーパー状表示媒体上に表示する過程で必要となるメーカーや表示制御特性といったペーパー状表示媒体自身の情報である。具体的には、所定のペーパー状表示媒体が感熱発色・感熱消色することにより書き換え表示を行う場合は、感熱ヘッドの設定温度等が不変コード３１に情報として含まれる。
【００６６】
可変コード３２は、ペーパー状表示媒体の利用過程で変化する可変な情報であり、図４（ｃ）に示すように、ユーザの操作によって変化する使用回数などである。可変コード３２は、印刷会社１８において、ペーパー状表示媒体に記録される。使用回数は、ユーザが、不変コード３１に含まれるコンテンツコードと一致するコンテンツ、若しくは、無料コンテンツを、コード記録済ペーパー状表示媒体１９に表示した回数である。
【００６７】
ペーパー状表示媒体に表示される使用回数３４は、可変コード３２に含まれる使用回数である。不変コード３１及び可変コード３２は、ユーザによる改竄防止のため記号化されており、ユーザには解読不能となっているため、使用回数３４を視覚的に認識できるようにペーパー状表示媒体上に表示している。使用回数３４は、可変コード３２に含まれる使用回数の変化に伴って変化する。
【００６８】
コンテンツ表示エリア３５は、コンテンツを表示するエリアである。即ち、不変コード３１に含まれるコンテンツコードに対応するコンテンツ若しくは無料コンテンツを表示するためのエリアである。
【００６９】
なお、不変コード３１又は可変コード３２におけるコードとしては、バーコード又は２次元コードをペーパー状表示媒体に記録する方法、若しくは、ＲＦＩＤ（Ｒａｄｉｏ　Ｆｒｅｑｕｅｎｃｙ　ＩＤｅｎｔｉｆｉｃａｔｉｏｎ　Ｓｙｓｔｅｍ）をペーパー状表示媒体に組み込む方法など種々の方法を利用することができる。
【００７０】
（ｖ）コードの記録
次に、不変コード３１及び可変コード３２のペーパー状表示媒体への記録について図５を参照して説明する。図５は、不変コード３１及び可変コード３２の記録後におけるペーパー状表示媒体の物理的構造を示す断面図である。
【００７１】
まず、図５（ａ）に示すように、コードがバーコード（２次元バーコード含む。）であった場合、フィルムや紙等の基材４０の上に不変コード３１を記録し、ロイコ染料をはじめとする感熱発色剤４１をコーティングする。そして、可変コード３２は、感熱発色剤４１によるコーティングの上から記録する。
【００７２】
なお、図５（ｂ）に示すように、不変コードがＲＦＩＤであった場合、フィルムや紙等の基材４０に不変コードを記憶したチップ３１ａを組み込み、ロイコ染料をはじめとする感熱発色剤４１をコーティングすることができる。そして、可変コード３２は、感熱発色剤４１によるコーティングの上から記録することができる。また、可変コードをＲＦＩＤとして、ペーパー状表示媒体に組み込むこともできる。その場合、図５（ｃ）に示すように、可変コードを記憶したチップ３２ａは、基材４０に組み込まれる。さらに、図５（ｃ）における、不変コード用ＲＦＩＤ３１ａと可変コード用ＲＦＩＤ３２ａを１つのチップで構成することもできる。
【００７３】
所定のコンテンツ等をはじめとするペーパー状表示媒体に表示される書き換え可能な情報は、コーティングしている感熱発色剤４１上に表示される。即ち、基材４０ではなく、感熱発色剤４１に表示されている。そのため、感熱発色剤４１に記録された可変コード３２も書き換え可能なコードとなる。
【００７４】
一方、不変コード３１は、基材４０に記録されているため、感熱発色剤４１において何度情報が書き換えられても、不変コード３１が変化することはない。また、チップ３１ａなどに記憶された不変コードも同様である。
【００７５】
（ｖｉ）情報提供処理
次に、図１に示す情報提供システムを利用した情報提供処理について、図６乃至図９を参照して説明する。図６は、情報提供処理のメインルーチンであり、図７は図６におけるコンテンツ蓄積処理のサブルーチンである。また、図８は図６におけるペーパー状表示媒体処理のサブルーチンであり、図９は図６における表示制御処理のサブルーチンである。なお、コンテンツ提供会社１３は、広告主２２から依頼を受けた広告や記事を掲載した雑誌２０を作成する出版社であるとする。
【００７６】
図６によれば、情報提供処理では、まず、コンテンツ蓄積処理が行われる（ステップＳ１）。コンテンツ蓄積処理では、コンテンツ提供会社１３によって作成された属性データが、コード管理センター１４によって作成されたコンテンツコードと共にコンテンツとして放送局１６に納品され、さらに、コンテンツが放送局１６を介してユーザ環境１における受信装置２のハードディスク６内に記録される処理であり、その詳細を図７を参照して説明する。
【００７７】
まず、コンテンツ提供会社１３は、提供するコンテンツの情報に基づいて属性データを作成し、コード管理センター１４へ通知する（ステップＳ１０）。具体的に、コンテンツ提供会社１３は、蓄積型データ放送サービスとして提供する雑誌２０に関連するコンテンツ用情報に基づいて属性データを作成する。
【００７８】
コード管理センター１４は、属性データを受け取り、当該属性データに基づいてコンテンツの識別情報であるコンテンツコードを作成する（ステップＳ１１）。さらに、コード管理センター１４は、作成したコンテンツコードをキーとし当該属性データを対応付けて、管理ＤＢ１５に記録する（ステップＳ１２）。これによれば、コード管理センター１４は、管理ＤＢ１５の情報に基づいて、今までに作成したコンテンツコードを属性データと対応付けて簡便に確認することができる。そして、コード管理センター１４は、作成したコンテンツコードをコンテンツ提供会社１３に通知する（ステップＳ１３）。
【００７９】
コンテンツ提供会社１３は、コード管理センター１４からコンテンツコードを受け取る。そして、コンテンツ提供会社１３は、ステップＳ１０で作成した属性データ、及び、コード管理センター１４から受け取ったコンテンツコードを放送局１６へ納品する（ステップＳ１４）。放送局１６は、蓄積型データ放送サービスを利用し、コンテンツ提供会社から受け取った属性データ及びコンテンツコードを、人工衛星１７や地上波デジタル放送基地２３を介してユーザ環境１へ提供する（ステップＳ１５）。
【００８０】
ユーザ環境１において、受信装置２は、アンテナ１０により属性データ及びコンテンツコードを含む放送波を受信する。そして、受信装置２のコントローラ８は、受信した放送波中の属性データ及びコンテンツコードを、図２（ａ）に示す、ハードディスク６内のコンテンツフォルダに記録する（ステップＳ１６）。さらに、コントローラ８は、当該属性データ及びコンテンツコードに基づいて、図３に示す、コンテンツリスト９を作成し、コンテンツコード及びコンテンツ名を記録する（ステップＳ１７）。
【００８１】
一方、コンテンツ提供会社１３は、雑誌２０に関連するコンテンツ用情報に基づいてコンテンツデータを作成し、放送局１６へ納品する（ステップＳ１８）。放送局１６は、コンテンツ提供会社１３から、当該コンテンツデータを受け取り（ステップＳ１９）、蓄積型データ放送サービスを利用して、当該コンテンツデータをユーザ環境１に提供する（ステップＳ２０）。ユーザ環境１において、受信装置２は、アンテナ１０より当該コンテンツデータを受信する。そして、受信装置２のコントローラ８は、受信したコンテンツデータを、図２（ａ）に示す、ハードディスク６内のコンテンツフォルダ配下で、コンテンツ種類に応じて記録する（ステップＳ２１）。コンテンツデータは静止画コンテンツデータ及び動画コンテンツデータの２種類を有しており、受信装置２は、管理上の便宜のためコンテンツフォルダ配下を静止画コンテンツフォルダ及び動画コンテンツフォルダの２つに分けて、それぞれに対応するコンテンツデータを記録している。
【００８２】
一方、図６に示すメインルーチンによれば、情報提供処理では、ペーパー状表示媒体処理が行われる（ステップＳ２）。ペーパー状表示媒体処理は、印刷会社１８が、コンテンツコード等を記録したコード記録済ペーパー状表示媒体１９、及び、コンテンツ提供会社１３から受け取った雑誌の本文に基づいて雑誌２０を作成し、当該雑誌２０を販売店２１で販売することでコード記録済ペーパー状表示媒体１９をユーザに提供する処理であり、その詳細を図８を参照して説明する。
【００８３】
まず、コンテンツ提供会社１３は、広告主２２から依頼された広告や記事など、雑誌２０の本文を作成し、印刷会社１８へ納品する（ステップＳ３１）。印刷会社１８は、当該雑誌の本文を受け取り、印刷する（ステップＳ３２）。
【００８４】
一方、コード管理センター１４は、図７におけるステップＳ１１で作成したコンテンツコードを、印刷会社１８へ通知し（ステップＳ３３）、印刷会社１８は、当該コンテンツコードを受け取る（ステップＳ３４）。
【００８５】
印刷会社１８は、当該コンテンツコード及びペーパー状表示媒体のデータを不変コード３１として、ペーパー状表示媒体に記録する（ステップＳ３５）。さらに、印刷会社１８は、ペーパー状表示媒体の利用過程で変化する可変な情報を可変コード３２として、ペーパー状表示媒体に記録する（ステップＳ３６）。
【００８６】
そして、印刷会社１８は、作成したコード記録済ペーパー状表示媒体１９とステップＳ３２で印刷した本文を一体化させて、雑誌２０を製本する（ステップＳ３７）。ユーザは、販売店２１等を介して雑誌２０を購入することで、当該雑誌２０と一体化されているコード記録済ペーパー状表示媒体１９を取得する（ステップＳ３８）。
【００８７】
コンテンツ蓄積処理（ステップＳ１）及びペ−パー状表示媒体処理（ステップＳ２）の後、図６に示すように情報提供処理では表示制御処理が行われる（ステップＳ３）。表示制御処理は、ユーザ環境１において、コード記録済ペーパー状表示媒体１９に所定のコンテンツを表示する処理であり、その詳細を図９を参照して説明する。
【００８８】
ユーザ環境１において、ユーザは、図８におけるステップＳ３８で取得したコード記録済ペーパー状表示媒体１９を表示制御装置４へセットする（ステップＳ４０）。表示制御装置４のコードリーダ１２は、コード記録済ペーパー状表示媒体１９に記録された不変コード３１及び可変コード３２を読み取る（ステップＳ４１）。コードリーダ１２が読み取った情報は、不変コード３１については、図４（ｂ）に示すように、コンテンツコード、及び、ペーパー状表示媒体のデータである。一方、可変コード３２については、図４（ｃ）に示すように、使用回数などのペーパー状表示媒体の利用過程で変化する可変な情報である。コードリーダ１２が読み取った不変コード３１及び可変コード３２の情報は、表示制御装置４内に記憶される。
【００８９】
次に、表示制御装置４の識別コントローラ１１は、受信装置２のコンテンツリスト９を確認する（ステップＳ４２）。さらに、識別コントローラ１１は、ステップＳ４１で記憶したコンテンツコードを表示制御装置４内から抽出し、コンテンツリスト９のコンテンツコードに一致するものが存在するか否かを判別する（ステップＳ４３）。ステップＳ４１で記憶したコンテンツコードは、ユーザが入手したコード記録済ペーパー状表示媒体１９に記録された不変コード３１から読み出したコンテンツコードである。即ち、ステップＳ４３では、当該コード記録済ペーパー表示媒体１９に記録された不変コード３１に含まれるコンテンツコードが、コンテンツリスト９内に存在するか否かを判別する。
【００９０】
当該コード記録済ペーパー状表示媒体１９に記録された不変コード３１に含まれるコンテンツコードが、コンテンツリスト９内に存在しない場合は、表示制御装置４上で「表示できません」と表示する（ステップＳ４４）。一方、当該コード記録済ペーパー状表示媒体１９に記録された不変コード３１に含まれるコンテンツコードが、コンテンツリスト９のコンテンツコードと一致した場合、識別コントローラ１１は、当該コンテンツコードと一致するコンテンツリスト９をディスプレイ５上に表示する（ステップＳ４５）。
【００９１】
ユーザは、ディスプレイ５上に表示されたコンテンツリスト９からコード記録済ペーパー状表示媒体１９、若しくは、ディスプレイ５に表示する対象を選択する（ステップＳ４６）。
【００９２】
具体的には、例えば、当該コンテンツコードが「１００５Ａ」であった場合、図３に示す、点線７０で囲まれた部分がディスプレイ５上に表示される。そして、ユーザは、ディスプレイ５上の表示に基づいて、「雑誌Ａ＿５月号」のバックナンバーからどのコンテンツデータを表示するかを選択することができる。さらに、コンテンツデータは静止画コンテンツデータ及び動画コンテンツデータの２種類を有している。ここで、静止画コンテンツデータは、コード記録済ペーパー状表示媒体１９及びディスプレイ５において表示することができるがあくまでも静止画像であるという特徴を持つ。一方、動画コンテンツデータは、ディスプレイ５においてのみ表示することができるが、動画であるため静止画像よりもリアリティのある情報を取得することができるという特徴を持つ。コンテンツリスト９から表示対象物を選択する場合、ユーザは、所定のコンテンツデータのコンテンツ種類も考慮に入れて、当該表示対象物を選択することができる。なお、ユーザは、リモコン３又はディスプレイ５上の画面タッチパネル等の入力手段によって表示する対象を選択し、ユーザが選択した情報は、受信装置２のコントローラ８を介して、表示制御装置４の識別コントローラ１２が認識する。
【００９３】
そして、識別コントローラ１２は、ユーザが選択した情報に基づいて、受信装置２におけるハードディスク６内のコンテンツフォルダから該当するコンテンツデータを抽出する（ステップＳ４７）。さらに、識別コントローラ１２は、抽出したコンテンツデータが静止画コンテンツデータであれば、当該コンテンツデータの内容をコード記録済ペーパー状表示媒体１９、若しくは、ディスプレイ５に表示する（ステップ４８）。一方、抽出したコンテンツデータが動画コンテンツデータであれば、当該コンテンツデータの内容をディスプレイ５に表示する。即ち、ユーザは、ディスプレイ５において動画のデータを鑑賞することができる。
【００９４】
なお、本実施形態では、所定のコンテンツに含まれる属性データやコンテンツデータを、図３に示す情報としたが、コンテンツ提供会社の任意でさらに細分化することも可能である。即ち、属性データやコンテンツデータは、コンテンツ提供会社が任意で設定することができる。また、本実施形態では、使用制限回数や使用期限を設定していないが、コンテンツの種類によっては、任意に設定することも可能である。さらに、雑誌２０と一体化されるコード記録済ペーパー状表示媒体１９は、１枚に限らず、コンテンツの内容によっては複数枚としても構わない。
【００９５】
ところで、ユーザ環境１における受信装置２内のハードディスク６には、ユーザがコード記録済ペーパー状表示媒体１９を購入するか否かを問わず複数のコンテンツが蓄積されている。それぞれのコンテンツの情報をどのくらいの頻度で削除、更新するかは、ハードディスク６におけるサービスディレクトリの容量や各コンテンツの内容に応じてコンテンツ提供会社１３又は放送局１６によって任意に設定される。なお、コンテンツの情報、即ち、属性データやコンテンツデータの削除、更新は、コンテンツリスト９に反映される。また、所定のコンテンツの削除、更新頻度は、コンテンツデータと共にコンテンツ提供会社１３又は放送局１６からコード管理センター１４に通知され、コード管理センター１４は、当該コンテンツデータに基づいて管理ＤＢ１５に削除、更新頻度を記録する。
【００９６】
なお、本実施形態では、広告主２２は車のメーカーであって、「雑誌Ａ＿５月号」には車の広告が掲載されており、動画コンテンツデータとして当該車の「車内映像」がユーザに提供されていたが、これに限られず、広告主２２に応じて種々のコンテンツデータを提供することができる。例えば、広告主２２が化粧品メーカーであって、当該化粧品の広告を所定の雑誌に掲載した場合、動画コンテンツデータ又は静止画コンテンツデータとして、毎日の紫外線情報を提供することができる。即ち、コンテンツ提供会社は、毎日の紫外線の情報をコンテンツデータとして作成し、放送局１６を介して、ユーザ環境に当該コンテンツデータを提供する。そして、ユーザは、紫外線情報を取得したい任意のタイミングで、当該雑誌と一体となったコード記録済ペーパー状表示媒体１９に記録されたコードに基づいて、当該ペーパー状表示媒体又はディスプレイ５上に、当該紫外線情報を表示することができる。
【００９７】
また、本実施形態では、印刷会社１８とコード管理センター１４が別の機関となっているが、１つの機関として処理を行っても構わない。
【００９８】
（ｖｉｉ）変形例１
なお、コード記録済ペーパー状表示媒体１９のレイアウトは、罫線やスクリーンでデザインするのが普通である。本実施形態においては、図４に示すように、特に創作的なものとなっていないが、当該表示媒体上に表示するコンテンツに対応したレイアウトとすることも可能である。例えば、雑誌２０と一体となったコード記録済ペーパー状表示媒体１９であれば、当該表示媒体１９のレイアウトを当該雑誌２０のページに共通するレイアウトとすることができる。
【００９９】
これによれば、雑誌２０に連載されている漫画の最終ページが、情報としての付加価値を高めるために雑誌２０の本体に印刷されておらず当該表示媒体１９上でしか読むことができない場合、当該雑誌２０と当該表示媒体１９のレイアウトが共通していることにより、雑誌２０の一部としてユーザに違和感を与えることなく当該情報を提供することができる。
【０１００】
（ｖｉｉｉ）変形例２
コード記録済ペーパー状表示媒体１９が一体となっている雑誌２０が月１回発行の場合であっても、コンテンツ提供会社１３は、蓄積型データ放送サービスを利用した当該雑誌２０に関連するコンテンツの提供を月１回の更新とする必要はない。つまり、コンテンツ提供会社１３は、コンテンツ用情報を任意の間隔で作成し、放送局１６を介して、ユーザに提供することができる。
【０１０１】
具体的に、コンテンツ提供会社１３は、毎日コンテンツ用情報に対応するコンテンツデータを作成し、放送局１６へ納品する。このとき、コンテンツデータは、日付情報を有する。そして、放送局１６は、コンテンツ提供会社１３から毎日、新しいコンテンツデータを受け取り、蓄積型データ放送サービスを利用して、新しいコンテンツデータをユーザ環境１に提供する。ユーザ環境１において、受信装置２は、毎日、アンテナ１０より新しいコンテンツデータを受信する。そして、受信装置２のコントローラ８は、受信したコンテンツデータを、図２（ａ）に示す、ハードディスク６内のコンテンツフォルダ配下に、コンテンツの種類及び日付毎に記録する。
【０１０２】
これによれば、ユーザは月に１回発行される雑誌から、毎日内容が更新される広告などのコンテンツを得ることができることになる。つまり、雑誌２０に関連するコンテンツであっても、更新される頻度を当該雑誌より高くすることができるので、従来の袋とじ等による折込手法によりも、当該コンテンツ用情報の付加価値を高めることができる。よって、ユーザの雑誌２０に対する購買意欲も高めることができる。
【０１０３】
以上説明したように、本発明によれば、ユーザは、雑誌に関連する情報を蓄積型データ放送サービスによるコンテンツとしてペーパー状表示媒体、若しくは、ディスプレイに表示し、閲覧することができる。これによれば、従来の折込手法と異なり、ユーザの立ち読みや袋とじを破るなどの不正行為により、情報の価値が失われることはない。さらに、雑誌に関連するコンテンツであっても、更新する頻度を当該雑誌より高くすることができるので、従来の袋とじ等による折込手法によりも、当該コンテンツとして提供される情報の付加価値を高めることができる。よって、ユーザの雑誌に対する購買意欲も高めることができる。
【０１０４】
また、当該コンテンツに含まれる動画コンテンツデータの場合、コード記録済ペーパー状表示媒体のコンテンツコードに基づいて、動画をディスプレイにおいて閲覧することができるため、紙媒体である雑誌の広告や記事よりもリアリティのある正確な情報をユーザに提供することができる。よって、当該動画コンテンツデータは、付加価値のある情報として、ユーザの雑誌に対する購買意欲を高めることができる。
【０１０５】
また、上記の実施形態では、広告主は、コンテンツ提供会社に対して雑誌等に広告を掲載することを依頼し、その対価としてコンテンツ提供会社に出稿料を払う。コンテンツ提供会社は、当該出稿料などにより、コード印刷済ペーパー状表示媒体を単体として販売するのではなく、雑誌等と一体化させ、当該雑誌を販売することでユーザに提供することができる。即ち、ユーザは、コード印刷済ペーパー状表示媒体を単体で購入する手間がいらず、雑誌の付録という対価を必要としない形態で当該ペーパー状表示媒体を取得することができる。よって、当該ペーパー状表示媒体を広くユーザに提供することが容易となる。
【０１０６】
さらに、コード記録済ペーパー状表示媒体は書き換え可能であり、当該表示媒体の耐用回数を超えなければ、無料コンテンツの表示など再利用が可能であるため、環境問題を考慮した資源の有効利用が図れる。
【０１０７】
［第２実施形態］
（ｉ）情報提供システムの概略構成
図１０に本発明の第２実施形態にかかる情報提供システムの概略構成を示す。図１０において、情報提供システムは、ユーザ環境１、放送局１６、人工衛星１７、地上波デジタル放送基地３２０、ネットワーク４０２、インターネットサービスプロバイダ（以下、「ＩＳＰ」と呼ぶ。）４７０、コンテンツ提供会社４１３、コード管理センター４１４、製造メーカー４６０及び小売業者店舗４８０により構成されている。
【０１０８】
コンテンツ提供会社４１３は、製造メーカー４６０が製造する商品の取扱説明書の情報や、その商品のお楽しみ方最新情報、次のおすすめ商品情報、バージョンアップ情報、また情報家電のリンケージ情報、メンテナンス情報（以下、「取扱説明の関連情報」と呼ぶ。）、を配信出来るように加工し、製造メーカー４６０に納品している。また、コンテンツ提供会社４１３は、取扱説明の関連情報を蓄積型データ放送サービスを利用してユーザに提供するために、当該取扱説明書の情報に対応するコンテンツを作成し、放送局１６及びＩＳＰ４７０に納品している。
【０１０９】
コード管理センター４１４は、コンテンツ提供会社４１３から取扱説明の関連情報であるコンテンツに含まれる属性データを受け取り、当該属性データに基づいて、コンテンツの識別情報となるコンテンツコードを作成する。コンテンツコードは、コンテンツ提供会社４１３を介して放送局１６及びＩＳＰ４７０へ納品される。また、コンテンツコードは、製造メーカー４６０へも通知される。なお、コード管理センター４１４は、コンテンツ提供会社４１３から受け取った属性データ及び自身が作成したコンテンツコードをペアで管理ＤＢ４１５に記憶する。
【０１１０】
製造メーカー４６０は、一般的にユーザが取得又は購入する商品４６１を製造している。具体的に、商品は、家庭電化製品、日用品、化粧品、玩具、食材、家具、事務機器、自動車等が挙げられる。製造メーカー４６０は、ペーパー状表示媒体にコード管理センター４１４から通知されたコンテンツコードを記録し、コード記録済ペーパー状表示媒体を作成する。また、製造メーカー４６０は、コンテンツ提供会社４１３から納品された取扱説明書の情報に基づいて取扱説明書を製本する。このとき、コード記録済ペーパー状表示媒体を一体化させる。ここで、一体化とは、例えば、取扱説明書にコード記録済ペーパー状表示媒体が切り取り可能形式で挿入されていることなどが挙げられる。そして、製造メーカー４６０は、製造した商品４６１及び製本した取扱説明書を流通機構にのせるため、小売業者店舗４８０へ納品する。
【０１１１】
小売業者店舗４８０は、販売店であり、商品４６１を店頭に置き、ユーザに販売する。通常、取扱説明書は商品４６１に付属する形でユーザに販売される。なお、詳細は後述するが、小売業者店舗４８０はユーザ環境１と同様に、受信装置２、表示制御装置４、リモコン３、ディスプレイ５及びアンテナ１０を有する。
【０１１２】
放送局１６は、コンテンツ提供会社４１３から納品された属性データ、コンテンツデータ及びコンテンツコードから構成されるコンテンツを、蓄積型データ放送サービスを利用して、人工衛星１７や地上波デジタル放送基地３２０を介してユーザ環境１や小売業者店舗４８０に提供する。
【０１１３】
また、ＩＳＰ４７０は、コンテンツ提供会社４１３から納品されたコンテンツを、コンテンツコードをキーとして全て記憶している。そして、ユーザ環境１や小売業者店舗４８０が有する受信装置２が要求する所定のコンテンツのコンテンツデータをネットワーク４０２を介して送信する。詳細は後述するが、一般に放送局１６が提供し、受信装置２のハードディスク６内に蓄積されるコンテンツは一定の期限が設けられる。ハードディスク６内に記憶されるコンテンツは、取扱説明の関連情報であるコンテンツに限らないためであり、具体的に、取扱説明の関連情報であるコンテンツは最新版のみしか記憶されていないことも考えられる。よって、ユーザが最新版より古い取扱説明の関連情報であるコンテンツデータを要求した場合、受信装置２は、ＩＳＰ４７０から該当するコンテンツデータを取得する。
【０１１４】
ユーザ環境１及び小売業者店舗４８０は、受信装置２により、放送局１６から提供された蓄積型データ放送サービスを行うデジタル放送を受信し、コンテンツをディスプレイ５上で視聴、閲覧することができる。受信装置２は、受信したコンテンツを記録し、蓄積している。
【０１１５】
また、ユーザは、製造メーカー４６０が製造し、小売業者店舗４８０で販売している商品４６１を購入し、同時に付属された取扱説明書を取得する。そして、ユーザは、ユーザ環境１において表示制御装置４により、取扱説明書と一体化しているコード記録済ペーパー状表示媒体に記録されているコンテンツコードに対応するコンテンツを、当該コード記録済ペーパー状表示媒体、若しくは、ディスプレイ５に表示することができる。
【０１１６】
なお、ユーザ環境１、コンテンツ、コンテンツリスト、ペーパー状表示媒体及びコードの記録については、第１実施形態とほぼ同様であるため、便宜上説明は省略する。
【０１１７】
但し、第２実施形態において、コンテンツは、商品４６１に関する取扱説明に関連する一部の情報であり、静止画コンテンツデータと動画コンテンツデータの２種類を有するものとする。また、コンテンツリストにおいて、バックナンバーが記憶されているが、本実施形態においては、上述のように最新版以外の取扱説明に関するコンテンツデータはＩＳＰ４７０が記憶しているものとしてもよい。
【０１１８】
（ｉｉ）情報提供処理
次に、図１０に示す情報提供システムを利用した情報提供処理について説明する。情報提供処理は、コンテンツ蓄積処理、コード記録処理及び表示制御処理から構成されている。
【０１１９】
まず、コンテンツ蓄積処理について説明する。コンテンツ蓄積処理において、コンテンツ提供会社４１３は、コンテンツ用の商品４６１に関する取扱説明の関連情報に基づいて属性データを作成し、コード管理センター４１４へ通知する。コード管理センター４１４は、属性データを受け取り、当該属性データに基づいてコンテンツの識別情報であるコンテンツコードを作成する。さらに、コード管理センターは４１４は、作成したコンテンツコードをキーとして当該属性情報に対応付けて管理ＤＢ４１５に記憶する。そして、コード管理センター４１４は、作成したコンテンツコードをコンテンツ提供会社４１３に通知する。
【０１２０】
コンテンツ提供会社４１３は、コード管理センター４１４からコンテンツコードを受け取る。そして、コンテンツ提供会社４１３は、属性データ及び当該コンテンツコードを放送局１６及びＩＳＰ４７０へ納品する。放送局１６は、蓄積型データ放送サービスを利用し、コンテンツ提供会社４１３から受け取った属性データ及びコンテンツコードを人工衛星１７や地上波デジタル放送基地３２０を介してユーザ環境１や小売業者店舗４８０へ提供する。
【０１２１】
ユーザ環境１や小売業者店舗４８０（以下、「ユーザ環境１等」と呼ぶ。）において、受信装置２は、属性データ及びコンテンツコードを含む放送波を受信する。そして、受信装置２のコントローラ８は、受信した放送波中の属性データ及びコンテンツコードをハードディスク６内のコンテンツフォルダに記録する。さらに、コントローラ８は、当該属性データ及びコンテンツコードに基づいてコンテンツリスト９を作成し、コンテンツコード及びコンテンツ名を記録する。
【０１２２】
一方、コンテンツ提供会社４１３は、コンテンツ用の商品４６１に関する取扱説明の関連情報に基づいてコンテンツデータを作成し、放送局１６及びＩＳＰ４７０へ納品する。放送局１６は、コンテンツ提供会社４１３から当該コンテンツデータを受け取り、蓄積型データ放送サービスを利用して、当該コンテンツデータをユーザ環境１等に提供する。ユーザ環境１等において、コントローラ８は、受信したコンテンツデータをハードディスク６内の所定のコンテンツフォルダ配下で、コンテンツ種類に応じて記録する。
【０１２３】
次に、コード記録処理について説明する。コード記録処理において、まず、コンテンツ提供会社４１３は、取扱説明の関連情報を製造メーカー４６０へ納品する。一方、コード管理センター４１４は、作成したコンテンツコードを製造メーカー４６０へ通知し、製造メーカー４６０は当該コンテンツコードを受け取る。
【０１２４】
製造メーカー４６０は、当該コンテンツコード及びペーパー状表示媒体のデータを不変コードとしてペーパー状表示媒体に記録する。さらに、製造メーカー４６０は、ペーパー状表示媒体の利用過程で変化する可変な情報を可変コードとしてペーパー状表示媒体に記録する。これにより、コード記録済ペーパー状表示媒体が作成される。
【０１２５】
そして、製造メーカー４６０は、取扱説明の情報に基づいて取扱説明書を製本し、作成したコード記録済ペーパー状表示媒体と切り取りミシン目や、仮接着材等を用いて、切り離しの出来るように一体化させる。さらに、製造メーカー４６０は、商品４６１及び取扱説明書を小売業者店舗４８０へ納品する。よって、ユーザは、小売業者店舗４８０等を介して商品４６１を購入することで、当該商品４６１に付属された取扱説明書と一体化されているコード記録済ペーパー状表示媒体を取得することができる。
【０１２６】
次に、表示制御処理について説明する。表示制御処理では、ユーザ環境１等においてユーザが、コード記録済ペーパー状表示媒体を表示制御装置４へセットする。表示制御装置４のコードリーダー１２は、コード記録済ペーパー状表示媒体に記録された不変コード及び可変コードを読み取る。コードリーダー１２が読み取った不変コード及び可変コードの情報は表示制御装置４内に記憶される。
【０１２７】
次に、表示制御装置４の識別コントローラ１１は、受信装置２のコンテンツリスト９を確認する。さらに、識別コントローラ１１は、表示制御装置４内からコンテンツコードを抽出し、コンテンツリスト９のコンテンツコードに一致するものが存在するか否かを判別する。ここで、表示制御装置４内から抽出したコンテンツコードは、コード記録済ペーパー状表示媒体に記録されたコンテンツコードである。
【０１２８】
コード記録済ペーパー状表示媒体に記録されたコンテンツコードがコンテンツリスト９内に存在しない場合は、ハードディスク６内に蓄積されていないコンテンツをユーザが要求していることを意味する。そこで、表示制御装置４上で「表示できません」と表示する。一方、コード記録済ペーパー状表示媒体に記録されたコンテンツコードがコンテンツリスト９内に存在し、一致した場合、識別コントローラ１１は、当該コンテンツコードと一致するコンテンツリスト９をディスプレイ５上に表示する。
【０１２９】
ユーザは、ディスプレイ５上に表示されたコンテンツリスト９からコード記録済ペーパー状表示媒体、若しくは、ディスプレイ５に表示する対象を選択する。ここで、コンテンツリスト９に、表示する対象が存在しない場合、ユーザがハードディスク６内に蓄積されていないコンテンツデータを要求していることが考えられる。例えば、かなり昔の取扱説明の関連情報であるコンテンツデータを表示したい場合等である。この場合、ユーザの所定の操作により受信装置２のコントローラ８は、ネットワーク４０２を介してＩＳＰ４７０から該当するコンテンツデータを取得することが可能である。即ち、ユーザが要求するコンテンツデータがハードディスク６内に蓄積されていない場合であっても、当該コンテンツデータを取得し、ディスプレイ５上などに表示させることができる。なお、この場合はＩＳＰ４７０から当該コンテンツデータをダウンロードする時間がかかるため、その旨のメッセージを表示しても良い。
【０１３０】
なお、コンテンツデータは静止画コンテンツデータ及び動画コンテンツデータの２種類を有している。ここで、静止画コンテンツデータは、コード記録済ペーパー状表示媒体及びディスプレイ５において表示することができるがあくまでも静止画像であるという特徴を持つ。一方、動画コンテンツデータは、ディスプレイ５においてのみ表示することができるが、動画であるため静止画像よりもリアリティのある情報を取得することができるという特徴を持つ。コンテンツリスト９から表示対象物を選択する場合、ユーザは、所定のコンテンツデータのコンテンツ種類も考慮に入れて、当該表示対象物を選択することができる。なお、ユーザは、リモコン３又はディスプレイ５上の画面タッチパネル等の入力手段によって表示する対象を選択し、ユーザが選択した情報は、受信装置２のコントローラ８を介して、表示制御装置４の識別コントローラ１１が認識する。なお、ペーパー状表示媒体の性質によっては、入力手段がペーパー状表示媒体上に、例えば入力キー等の状態で設けられる場合もある。
【０１３１】
そして、識別コントローラ１１は、ユーザが選択した情報に基づいて、受信装置２又はＩＳＰ４７０から該当するコンテンツデータを抽出する。さらに、識別コントローラ１１は、抽出したコンテンツデータが静止画コンテンツデータであれば、当該コンテンツデータの内容をコード記録済ペーパー状表示媒体、若しくは、ディスプレイ５に表示する。一方、抽出したコンテンツデータが動画コンテンツデータであれば、当該コンテンツデータの内容をディスプレイ５に表示することができる。
【０１３２】
なお、第２実施形態において取扱説明書の製本は製造メーカー４６０が行うこととしているが、本発明はこれに限定されるものではなく、製造メーカー４６０とは別の印刷会社等が行うこととしても構わない。
【０１３３】
これによれば、取扱説明の関連情報においては通常の紙媒体による静止画では説明しづらい事象について、動画を利用してユーザにより分かりやすく説明することができる。即ち、動画と静止画を織り交ぜた取扱説明等をユーザの使う立場に立って提供することができる。さらに、ＩＳＰ４７０に今までの取扱説明に関連するコンテンツデータが全て記憶されているため、受信装置２の有するハードディスク６に蓄積されていないコンテンツデータであっても、ユーザは容易に取得し、ディスプレイ５上等で閲覧することが可能である。
【０１３４】
また、小売業者店舗４８０においても、ユーザ環境１と同様にコード記録済ペーパー状表示媒体を利用して、ディスプレイ５により商品の取扱説明を動画で表示することができる。よって、商品の販売を促進することができる。
【０１３５】
（ｉｉｉ）変形例１
上記の第２実施形態においては、商品に付属する取扱説明書にコード記録済ペーパー状表示媒体を一体化させ、当該コード記録済ペーパー状表示媒体に記録されたコンテンツコードに基づいて、コンテンツを表示させる情報提供システムについて説明した。しかし、本発明は、これに限定されるものではなく、商品自体、あるいは、商品の梱包箱等にコンテンツコードを記す方法を適用することも可能である。この場合の情報提供処理について図１０を参照して説明する。
【０１３６】
なお、商品に記されるコンテンツコードはユーザが視覚で認識できるものであり、ユーザ環境１等における表示制御装置４は、ユーザが手入力等により入力するコンテンツコードを認識できるものとする。また、ペーパー状表示媒体は、汎用的なものであって（以下、「汎用ペーパー状表示媒体」と呼ぶ。）、ユーザ環境１等が既に有しており、ユーザが任意に要求したコンテンツデータを記録可能であるとする。
【０１３７】
情報提供処理は、コンテンツ蓄積処理、コード記録処理及び表示制御処理から構成されており、コンテンツ蓄積処理は上述とほぼ同様であるため、便宜上説明は省略する。但し、変形例１において、取扱説明書は製本されず、すべてコンテンツとして提供されるため、コンテンツ提供会社４１３は、商品に関連する取扱説明や、その商品のお楽しみ方最新情報、次のおすすめ商品情報、バージョンアップ情報、また情報家電のリンケージ情報、メンテナス情報、を配信出来るようにコンテンツデータを作成し、放送局１６及びＩＳＰ４７０に納品する。
【０１３８】
次に、コード記録処理について説明する。コード記録処理において、まず、コード管理センター４１４は、作成したコンテンツコードを製造メーカー４６０へ通知し、製造メーカー４６０は当該コンテンツコードを受け取る。そして、製造メーカー４６０は、製造した商品４６２の梱包箱に当該コンテンツコードを記録する。
【０１３９】
次に、表示制御処理について説明する。表示制御処理では、ユーザ環境１等においてユーザが、汎用ペーパー状表示媒体を表示制御装置４にセットする。そして、ユーザは、商品４６２の梱包箱に記録されたコンテンツコードを手入力等により表示制御装置４に入力する。これにより、コンテンツコードは表示制御装置４内に記憶される。一方、表示制御装置４の識別コントローラ１１は、受信装置２のコンテンツリスト９を確認する。さらに、識別コントローラ１１は、表示制御装置４内からコンテンツコードを抽出し、コンテンツリスト９のコンテンツコードに一致するものが存在するか否かを判別する。ここで、表示制御装置４内から抽出したコンテンツコードは、商品４６２の梱包箱に記録されたコンテンツコードである。
【０１４０】
商品４６２の梱包箱に記録されたコンテンツコードがコンテンツリスト９内に存在しない場合は、ハードディスク６内に蓄積されていないコンテンツをユーザが要求していることを意味する。そこで、表示制御装置４上で「表示できません」と表示する。一方、商品４６２の梱包箱に記録されたコンテンツコードがコンテンツリスト９内に存在し、一致した場合、識別コントローラ１１は、当該コンテンツコードと一致するコンテンツリスト９をディスプレイ５上に表示する。
【０１４１】
ユーザは、ディスプレイ５上に表示されたコンテンツリスト９から汎用ペーパー状表示媒体、若しくは、ディスプレイ５に表示する対象を選択する。なお、ユーザは、リモコン３又はディスプレイ５上の画面タッチパネル等の入力手段によって表示する対象を選択し、ユーザが選択した情報は、受信装置２のコントローラ８を介して、表示制御装置４の識別コントローラ１１が認識する。
【０１４２】
そして、識別コントローラ１１は、ユーザが選択した情報に基づいて、受信装置２又はＩＳＰ４７０から該当するコンテンツデータを抽出する。さらに、識別コントローラ１１は、抽出したコンテンツデータが静止画コンテンツデータであれば、当該コンテンツデータの内容をコード汎用ペーパー状表示媒体、若しくは、ディスプレイ５に表示する。一方、抽出したコンテンツデータが動画コンテンツデータであれば、当該コンテンツデータの内容をディスプレイ５に表示することができる。
【０１４３】
これによれば、商品に通常の紙媒体により製本された取扱説明書を付属させなくても、ユーザは、汎用ペーパー状表示媒体やディスプレイを利用して、当該商品に関連する取扱説明の関連情報も取得でき、閲覧することができる。よって、製造メーカーは、通常の取扱説明書を作成しないことでコストを削減することができる一方、バージョンアップ商品の勧誘や関連する自社製品の宣伝を行うことができる。また、紙資源を無駄にしないことで資源の有効活用を図ることもできる。
【０１４４】
（ｉｖ）変形例２
上記の例においては、表示制御装置４が、コンテンツコードを識別し、当該コンテンツコードに基づいて、受信装置２内のハードディスク６又はＩＳＰ４７０から該当するコンテンツを取得する機能を有しているが、本発明はこれに限定されるものではなく、当該機能をリモコンが有することとしてもよい。
【０１４５】
具体的には、コンテンツコードがバーコードにより商品の梱包物等に記録されている場合、リモコンはバーコードリーダーを有する。また、コンテンツコードがＲＦＩＤにより商品自体に記録されている場合、リモコンはＲＦＩＤに記録されたデータを送受信し、認識することができる機能を有する。
【０１４６】
この場合、上記の第２実施形態において表示制御装置４が行っていた処理をリモコンが行うため、図１０における表示制御装置４の代わりに、ペーパー状表示媒体に所定のコンテンツの書き換え表示機能を有する駆動装置があればよい。
【０１４７】
（ｖ）変形例３
上記の例においては、コード記録済ペーパー状表示媒体や商品の梱包箱等に記録されたコンテンツコードに基づいて、該当するコンテンツをディスプレイ５やペーパー状表示媒体に表示している。しかし、本実施形態はこれに限定されるものではなく、該当するコンテンツを動画、静止画によらず全てディスプレイ５上に表示することとしてもよい。これによれば、コンテンツコードが商品自体や商品の梱包等に記録されている場合は、情報提供システムにおいて、ペーパー状表示媒体が介在することなくユーザは所定のコンテンツを閲覧することができる。即ち、ユーザ環境１等においてペーパー状表示媒体を有していなくても、本発明を適用することができる。
【０１４８】
［応用例］
上記第１実施形態及び第２実施形態において、コンテンツや番組は放送波を通じて送信されることとなっている。ここで、放送波は、有線、無線を問わず、放送局から電波やケーブル等を利用して送信されるものとする。なお、本発明はこれに限定されるものではなく、コンテンツや番組は、インターネットを利用して送信されることとしてもよい。即ち、本発明では、コンテンツや番組は、搬送波を利用して送信可能な全ての情報を含むものであり、また、その送信・伝送方法の如何に拘わらず本発明が適用可能である。
【０１４９】
また、上記第１実施形態及び第２実施形態において、コンテンツや番組はハードディスク６に記憶されることとなっているが、本発明はこれに限定されるものではなく、種々の記憶媒体に記憶することとしても構わない。具体的に記憶媒体としては、ホログラフィックメモリー等の固体メモリー、ＣＤ−Ｒ／ＲＷ、ＤＶＤ−Ｒ／ＲＷ、ブルーレーザーを用いた記憶媒体、メモリーカードなどが挙げられる。このような記憶媒体を使用して、ハードディスク６内に保存しきれないコンテンツ等を保存しておくことができる。なお、その場合には、それらの記憶媒体のドライブ装置が受信装置２に内蔵又は外付けされる。これによれば、コンテンツ等を記憶する容量は、ハードディスク６に基づいて設定されるものではなく、ユーザが任意に設定することが可能となる。
【０１５０】
【発明の効果】
以上説明したように、本発明によれば、雑誌の一部を利用したユーザへ情報提供手段として蓄積型データ放送サービスを利用することにより、コストの削減、当該情報に対する利用者の不正手段の回避、正確な情報の提供、及び環境問題を考慮した情報提供システムを提供することができる。
【図面の簡単な説明】
【図１】本発明の第１実施形態における情報提供システムの概略構成を示す図である。
【図２】本発明のコンテンツフォルダの記録場所、及び、コンテンツフォルダに記録されているコンテンツ情報のデータ構造を模式的に示す図である。
【図３】本発明の情報提供システムに使用されるコンテンツリストのデータ構造を模式的に示す図である。
【図４】本発明のペーパー状表示媒体の構成、及び、表示媒体上のコードが有する情報を模式的に示す図である。
【図５】本発明のペーパー状表示媒体の層構造を示す断面図である。
【図６】図１の情報提供システムにおける情報提供処理を示すフローチャートである。
【図７】図６の情報提供処理に含まれるコンテンツ蓄積処理を示すフローチャートである。
【図８】図６の情報提供処理に含まれるペーパー状表示媒体処理を示すフローチャートである。
【図９】図６の情報提供処理に含まれる表示制御処理を示すフローチャートである。
【図１０】第２実施形態における情報提供システムの全体構成図である。
【符号の説明】
１　　ユーザ環境
２　　受信装置
３　　リモコン
４　　表示制御装置
５　　ディスプレイ
６　　ハードディスク
７　　チューナー
８　　コントローラ
９　　コンテンツリスト
１０　アンテナ
１１　識別コントローラ
１２　コードリーダ
１３　コンテンツ提供会社（出版社）
１４　コード管理センター
１５　管理ＤＢ
１６　放送局
１７　人工衛星
１８　印刷会社
１９　コード記録済ペーパー状表示媒体
２０　雑誌
２１　販売店
２２　広告主
２３　地上波デジタル放送基地
【図１】
2004064744.tif 000003
【図２】
2004064744.tif 000004
【図３】
2004064744.tif 000005
【図４】
2004064744.tif 000006
【図５】
2004064744.tif 000007
【図６】
2004064744.tif 000008
【図７】
2004064744.tif 000009
【図８】
2004064744.tif 000010
【図９】
2004064744.tif 000011
【図１０】
2004064744.tif 000012